(57)【要約】【課題】本発明は、表示装置に関するものであり、小型化を目的とするものである。【解決手段】そしてこの目的を達成するために本発明は、前面側と後面側が開口した枠体２と、この枠体２内に収納した表示体３と、前記枠体２の後面側の開口を覆った後面板４と、この後面板４を前記枠体２に取りつける取りつけ部材５とを備え、前記取りつけ部材５は、前記枠体２の外周面内面側と前記表示体３の外周面との間に挿入される挿入片５ａと、前記表示体３の後面と前記後面板４の内面側に延長された延長片５ｂとを有し、前記挿入片５ａには、前記枠体２の外周面内面側に設けた係合突起２ａと係合する係合突起部５ｃを設け、前記延長片５ｂには、後面板４の後方から挿入されるネジ６が螺合するネジ孔５ｄを設けた。【選択図】図７
2010286686.tif 000002
【特許請求の範囲】
【請求項１】
前面側と後面側が開口した枠体と、この枠体内に収納した表示体と、前記枠体の後面側の開口を覆った後面板と、この後面板を前記枠体に取りつける取りつけ部材とを備え、
前記取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設けた表示装置。
【請求項２】
枠体の外周面内面側と、取り付け部材の挿入片との隙間には、後面板の前面外周側に設けた挿入突起を挿入させた請求項１に記載の表示装置。
【請求項３】
取り付け部材を金属製とし、枠体と後面板を合成樹脂製とした請求項１または２に記載の表示装置。
【発明の詳細な説明】
【技術分野】
【０００１】
本発明は、たとえば、医療現場や電気的測定現場などに用いられる表示装置に関するものである。
【背景技術】
【０００２】
従来のこの種の表示装置の構成は、以下のような構成となっていた。
【０００３】
すなわち、前面側と後面側が開口した枠体と、この枠体内に収納した表示体と、前記枠体の後面側の開口を覆った後面板とを備え、後面板に取りつけたアームで天井などに取りつける構成となっていた（例えば下記特許文献１）。
【先行技術文献】
【特許文献】
【０００４】
【特許文献１】特開２００８−１０７７５１号公報
【発明の開示】
【発明が解決しようとする課題】
【０００５】
上記従来例における課題は、この表示装置の外形が大きくなってしまうということであった。
【０００６】
すなわち、表示体の、特に外周面、あるいは後面側から、液体や埃がこの表示体に到達するのを避けるために、この表示体は、上述のごとく枠体内に納め、その状態で枠体の後面側に後面板を設けている。
【０００７】
そして、枠体に後面板を取りつけるべく、枠体の外形を表示体よりも大きくし、その部分にネジ穴を設け、このネジ穴に後面板の後方からネジを螺合させている。しかしながら、このように、枠体の表示体外周に、ネジ孔を設ける構成にすると、その分、枠体の外形が大きくなり、これにより、表示装置の外形が大きくなってしまうのであった。
【０００８】
そこで本発明は、表示装置の小型化を目的とするものである。
【課題を解決するための手段】
【０００９】
そして、この目的を達成するために本発明は、前面側と後面側が開口した枠体と、この枠体内に収納した表示体と、前記枠体の後面側の開口を覆った後面板と、この後面板を前記枠体に取りつける取りつけ部材とを備え、前記取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設け、これにより所期の目的を達成するものである。
【発明の効果】
【００１０】
以上のように本発明は、前面側と後面側が開口した枠体と、この枠体内に収納した表示体と、前記枠体の後面側の開口を覆った後面板と、この後面板を前記枠体に取りつける取りつけ部材とを備え、前記取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設けたものであるので、小型化を図ることができる。
【００１１】
すなわち、本発明においては、後面板を前記枠体に取りつける取りつけ部材を設け、この取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設けたものであるので、枠体の外形を大きくする必要が無く、この結果として、表示装置の小型化を図ることができるのである。
【図面の簡単な説明】
【００１２】
【図１】本発明の一実施形態の設置状態を示す斜視図
【図２】その後面側からの斜視図
【図３】その分解斜視図
【図４】その取りつけ部材の斜視図
【図５】本発明の一実施形態の分解斜視図
【図６】その取りつけ状態を示す斜視図
【図７】その取りつけ状態を示す分解断面図
【図８】その断面図
【図９】その取りつけ状態を示す分解斜視図
【図１０】その取りつけ状態を示す斜視図
【発明を実施するための形態】
【００１３】
以下、本発明の一実施形態を添付図面を用いて説明する。
【００１４】
図１は、本実施形態における表示装置を、たとえば医療現場の壁に、図２に示す取りつけアーム１で装着した状態を示すものである。この表示装置は、図３に示すごとく前面側と後面側が開口した合成樹脂製で四角形の枠体２と、この枠体２内に収納した四角形の表示体３と、前記枠体２の後面側の開口を覆った合成樹脂製の後面板４と、前記枠体２の外周面内側と前記表示体３の外周部間に設けた金属製の、複数の取りつけ部材５とを備えている。
【００１５】
前記各取りつけ部材５は、それぞれ図４（ａ）、図４（ｂ）および図７、図８に示すごとく、枠体２の外周面内面側と表示体３の外周面との間に挿入される挿入片５ａと、前記表示体３の後面と前記後面板４の内面側に延長された延長片５ｂとを有している。
【００１６】
また、この取り付け部材５の挿入片５ａには、前記枠体２の外周面内面側に設けた係合突起２ａと係合する係合突起部５ｃを設け、さらに、この取り付け部材５の延長片５ｂには、後面板４の後方から挿入されるネジ６が螺合するネジ孔５ｄを設けている。
【００１７】
また、図７、図８に示すごとく、枠体２の外周面内面側と、取り付け部材５の挿入片５ａとの隙間には、後面板４の前面外周側に設けた挿入突起４ａを挿入させている。
【００１８】
以上の構成における取り付け部材５は、上述のごとく金属製とし、枠体２と後面板４を合成樹脂製としているので、図２に示したアーム１は、後面板４を貫通したネジ１ａにより、表示体３に直接固定している。
【００１９】
つまり、アーム１で、表示体３を直接支持し、この表示体３に枠体２と後面板４が間接的に支持された状態とすることで、アーム１による表示装置の取り付けを強化、安定化させているのである。
【００２０】
次に、図３に示す枠体２、表示体３、後面板４、取り付け部材５の組み立てについて説明する。
【００２１】
まずは、図３において、枠体２内に表示体３を挿入する。つぎに、図５、図９に示す枠体２内面側に設けた案内リブ２ｂに沿って、取り付け部材５を図６のごとく、枠体２の外周面内面側と表示体３の外周面との間に挿入する。
【００２２】
この挿入された状態は、図８に示すごとく、取りつけ部材５の係合突起部５ｃが枠体２の係合突起２ａに係合した状態となる。その状態で、図１０に示すごとく、枠体２の後面開口部に後面板４を被せて覆い、その状態で、図７、図８に示すごとく、後面板４の後方側からネジ６を後面板４を貫通後、取り付け部材５のネジ孔５ｄに螺合させれば、図１０に示すごとく、組み立てが完成する。
【００２３】
この組み立て状態においては、図７、図８に示すごとく、枠体２の外周面内面側と、取り付け部材５の挿入片５ａとの隙間には、後面板４の前面外周部の全周に設けた挿入突起４ａを挿入させているが、この挿入突起４ａの先端は、図７に示す枠体２の外周面内面側の複数箇所に設けた、案内リブ２ｂの切欠２ｃに挿入された状態となる。
【００２４】
このため、図８の、この挿入突起４ａと切欠２ｃの挿入状態を示した図の様に、結論として、枠体２の外周面は、外方に逃げることができない。
【００２５】
つまり、この枠体２の係合突起２ａと取り付け部材５の係合突起部５ｃとの係合が外れることはなく、よって、これら枠体２、表示体３、後面板４は、図１０に示すごとく一体化され、この状態で、形状が安定化されるものである。
【００２６】
また、図７に示すネジ６を締め付けることによって、図９に示す表示体後部端面３ａを押圧突起４ｂが押圧することで、表示部３の前後方向のがたつきが抑えられる。  
【００２７】
そして、この図１０の状態の物に対して、図２のごとく、アーム１を取りつけて、図１の配置が完了する。
【００２８】
なお、図８の状態において、取りつけ部材５は、金属製とし、枠体２と後面板４を合成樹脂製としているので、表示体３の駆動時における熱で枠体２や後面板４が熱膨張しても、上方よりの液体が、内方の表示体３まで浸入することはない。
【００２９】
つまり、表示体３を連続駆動していると、その発熱で、樹脂製の枠体２と後面板４は、金属製の取り付け部材５よりも、大きく熱膨張するようになるが、本実施形態においては、図８に示す構成であるので、枠体２の係合突起２ａから後面板４までの部分が熱膨張しようとしても、取り付け部材５が、それほどまでには熱膨張しないので、結論として、枠体２の後端と後面板４の前面との間には、不用意な隙間が発生せず、この結果、上方より、液体がかかっても、それが、内方の表示体３まで浸入することはない。
【産業上の利用可能性】
【００３０】
以上のように本発明は、前面側と後面側が開口した枠体と、この枠体内に収納した表示体と、前記枠体の後面側の開口を覆った後面板と、この後面板を前記枠体に取りつける取りつけ部材とを備え、前記取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設けたものであるので、小型化を図ることができる。
【００３１】
すなわち、本発明においては、後面板を前記枠体に取りつける取りつけ部材を設け、この取りつけ部材は、前記枠体の外周面内面側と前記表示体の外周面との間に挿入される挿入片と、前記表示体の後面と前記後面板の内面側に延長された延長片とを有し、この取り付け部材の挿入片には、前記枠体の外周面内面側に設けた係合突起と係合する係合突起部を設け、この取り付け部材の延長片には、後面板の後方から挿入されるネジが螺合するネジ孔を設けたものであるので、枠体の外形を大きくする必要が無く、この結果として、表示装置の小型化を図ることができるのである。
【００３２】
したがって、本発明は、医療現場や電気的測定現場等における表示装置として、広く活用が期待されるものである。
【符号の説明】
【００３３】
１  アーム
１ａ  ネジ
２  枠体
２ａ  係合突起
２ｂ  案内リブ
２ｃ  切欠
３  表示体
３ａ  表示体後部端面
４  後面板
４ａ  挿入突起
４ｂ  押圧突起
５  取りつけ部材
５ａ  挿入片
５ｂ  延長片
５ｃ  係合突起部
５ｄ  ネジ孔
６  ネジ
【図１】
2010286686.tif 000003
【図２】
2010286686.tif 000004
【図３】
2010286686.tif 000005
【図４】
2010286686.tif 000006
【図５】
2010286686.tif 000007
【図６】
2010286686.tif 000008
【図７】
2010286686.tif 000009
【図８】
2010286686.tif 000010
【図９】
2010286686.tif 000011
【図１０】
2010286686.tif 000012